(57)【要約】【課題】埋込ボルト用ソケットの改良。異なる外径の埋込ボルトに適合することができるソケットの提供。【解決手段】ソケット１０は、本体１１と連結部１２とを備える。連結部は、レンチに連結される。本体１１は、内径が大きいねじ孔１３と内径が小さいねじ孔１４とを備える。これらねじ孔１３，１４は、アンカーボルトがねじ込まれる。ねじ孔１３とねじ孔１４とは、本体１１の軸方向に沿って直列に配置されている。ねじ孔１３とねじ孔１４とは連続されている。【選択図】　図２
2004141992.tif 000002
【特許請求の範囲】
【請求項１】
埋込ボルトを設置するために当該埋込ボルトを回転させるレンチに連結される連結部と、
連結部に設けられた本体と、
本体に設けられ、上記埋込ボルトと螺合し得る内径の異なる複数の螺合孔とを有する埋込ボルト用ソケット。
【請求項２】
上記本体は、大径螺合孔と小径螺合孔とを有し、
これらは互いに連続し、上記本体の軸方向に沿って直列に配置されている請求項１記載の埋込ボルト用ソケット。
【請求項３】
上記大径螺合孔と小径螺合孔との間に、大径螺合孔に螺合する埋込ボルトの先端部が収容される先端収容室が形成されている請求項２記載の埋込ボルト用ソケット。
【請求項４】
上記小径螺合孔の底部に、小径螺合孔に螺合する埋込ボルトの先端部が当接する当接部材が配設されている請求項２又は３記載の埋込ボルト用ソケット。
【発明の詳細な説明】
【０００１】
【発明の属する技術の分野】
この発明は、建物等の構造物に使用される埋込ボルトに適用されるソケットに関するものである。このソケットは、一般に、埋込ボルトの設置作業に使用されるレンチに装着されるものである。
【０００２】
【従来の技術及び発明が解決しようとする課題】
例えば、建物等の構造物の建設作業においては、柱や梁に埋込ボルトが設置される場合がある。この埋込ボルトは、柱等に他の部材を連結させるためのものである。埋込ボルトは、棒状の部材の外周面にねじが形成されたものであり、いわば頭部を有しないボルトである。この埋込ボルトは、一端側が柱等に埋め込まれて固定され、他端側が当該柱等から突出するように設置される。
【０００３】
前述のように、埋込ボルトは頭部を有しないから、作業者は、通常のボルトを締結する要領で埋込ボルトを設置する作業を行うことはできない。そのため、従来から、埋込ボルトを設置するためのソケットが種々提供されている。従来のソケットは、埋込ボルトに螺合されるようになっており、作業者がレンチ等を使用してこのソケットを回転させることによって、当該埋込ボルトは、柱等にねじ込まれるようになっている。
【０００４】
ところで、埋込ボルトに連結される部材の種類（すなわち、埋込ボルトに加えられる負荷の大小）によって、埋込ボルトの呼び径（外径）は、最適なものが選定される。したがって、上記ソケットは、埋込ボルトの外径に対応できるように、さまざまな内径のものが用意されていなければならない。
このため、建設現場において、作業者はきわめて多種類のソケットを準備しておかなければならないという問題があった。
そこで、本発明の目的は、異なる外径の埋込ボルトに適用される埋込ボルト用ソケットを提供することである。
【０００５】
【課題を解決するための手段】
（１）　上記目的を達成するため、本願に係る埋込ボルト用ソケットは、埋込ボルトを設置するために当該埋込ボルトを回転させるレンチに連結される連結部と、連結部に設けられた本体と、本体に設けられ、上記埋込ボルトと螺合し得る内径の異なる複数の螺合孔とを有することを特徴とするものである。
この構成によれば、埋込ボルト用ソケットが複数の螺合孔を有し、各螺合孔はそれぞれ内径が異なっているから、当該埋込ボルト用ソケットは、複数の外径の埋込ボルトと螺合することができる。作業者は、この埋込ボルト用ソケットの連結部にレンチを連結させることにより、埋込ボルト用ソケットを介して設置されるべき埋込ボルトを回転させることができる。
【０００６】
（２）　特に、上記本体は、大径螺合孔と小径螺合孔とを有し、これらは互いに連続し、上記本体の軸方向に沿って直列に配置されているのが好ましい。
この構成では、単一の埋込ボルト用ソケットが大小二つの螺合孔を有するから、外径の異なる２種類の埋込ボルトと螺合することができる。これにより、埋込ボルトの装着作業のために、従来準備しておく必要のあったソケットの数が半減する。
【０００７】
しかも、２つの螺合孔は、本体の軸方向に沿って直列に配置されているから、作業者が埋込ボルト用ソケットに埋込ボルトを螺合させる作業が簡単である。すなわち、本体の軸方向に沿って２つの螺合孔が設けられているから、埋込ボルトが本体と係合（つまり、螺合孔と螺合）する際に、埋込ボルトは、その外径が異なるものであっても本体の同一の部位から進入・係合することになる。したがって、埋込ボルトの外径に対応した螺合孔を作業者が予め選択する必要はなく、埋込ボルトの外径にかかわらず、作業者は、簡単に埋込ボルトと螺合孔とを螺合させることができる。
【０００８】
（３）　上記大径螺合孔と小径螺合孔との間に、大径螺合孔に螺合する埋込ボルトの先端部が収容される先端収容室が形成されていてもよい。
この構成では、大径螺合孔に螺合した埋込ボルトは、その先端部が先端収容室に進入し、且つその先端面が小径螺合孔が形成された面に当接する。つまり、当該埋込ボルトの先端部に形成されたねじ部は、先端収容室内に配置されることになる。したがって、当該埋込ボルトが埋込ボルト用ソケットにより締め込まれる場合であっても、当該埋込ボルトの先端部のねじ部が損傷を受けることはない。
【０００９】
（４）　また、上記小径螺合孔の底部に、小径螺合孔に螺合する埋込ボルトの先端部が当接する当接部材が配設されていてもよい。
この構成では、小径螺合孔に螺合した埋込ボルトは、その先端部が当接部材に当接する。したがって、当該埋込ボルトが埋込ボルト用ソケットにより締め込まれる場合であっても、当該埋込ボルトの先端部のねじ部が損傷を受けることはない。
【００１０】
【発明の実施の形態】
以下、適宜図面が参照されつつ、好ましい実施形態に基づいて本発明が詳細に説明される。
【００１１】
＜第１の実施形態＞
図１は、本発明の第１の実施形態に係る埋込ボルト用ソケット（以下、単に「ソケット」と称される。）１０の斜視図であり、図２は断面図である。
【００１２】
このソケット１０は、例えば木造建築物に使用されるアンカーボルトに適用され、アンカーボルトを柱等にねじ込むための道具である。
アンカーボルトは、頭部を有しない棒状に形成されている。特に木造建築用に使用されるアンカーボルトは、一般に、一端部にいわゆる木ねじが形成され、他端部にメートルねじ（雄ねじ）が形成されている。
【００１３】
ソケット１０は、本体１１と、連結部１２とを備えている。これらは一体的に形成され、例えば、ＳＣＭ４３５等により構成されている。もっとも、本体１１と連結部１２とがそれぞれ別部材として構成され、これらが既知の固着手段によって固着されていてもよい。
【００１４】
本体１１は、本実施形態では円柱状に形成されている。ただし、本体１１の形状は円柱状に限定されるものではなく角柱状に形成されていてもよい。本体１１の全長Ｌ１は、本実施形態では３６．５ｍｍに設定されており、本体１１の外径Ｄは、本実施形態では１７．０ｍｍに設定されている。ただし、寸法Ｌ１及び寸法Ｄはこれに限定されるものではなく、適宜設計変更されるべきものであることは言うまでもない。
【００１５】
本体１１は、２つのねじ孔１３，１４（螺合孔）を有している。これらねじ孔１３，１４は、図２が示すように、本体１１の軸方向に沿って直列に配置されている。ねじ孔１３は、本体１１の先端面１８に開口を形成し、且つ本体１１の軸方向に延びている。ねじ孔１４は、ねじ孔１３に連続し、本体１１の軸方向に延びている。
本実施形態では、ねじ孔１３の深さｄ１は１０．０ｍｍに設定され、ねじ孔１４の深さｄ２は１７．５ｍｍに設定されている。ただし、ねじ孔１３，１４の深さ寸法ｄ１，ｄ２はこれに限定されるものではなく、適宜設計変更されるべきものであることは言うまでもない。
【００１６】
これらねじ孔１３，１４を区画する壁面には、雌ねじ１５，１６が形成されている。本実施形態では、ねじ孔１３は、ねじ孔１４よりも大径に形成されている。ねじ孔１３には、Ｗ３／８（８分の３インチ）の雌ねじが形成されており、ねじ孔１４には、Ｗ５／１６（１６分の５インチ）の雌ねじが形成されている。
なお、これら雌ねじのサイズについても、上記寸法に限定されるものではなく、設置されるアンカーボルトの外径に対応させて適宜設計変更されるものであることは言うまでもない。
【００１７】
次に、連結部１２は、アンカーボルトを柱等にねじ込む際に当該アンカーボルトを回転させるためのレンチが連結される。本実施形態では、連結部１２は、六角柱状に形成されている。これは、上記レンチと連結されるために当該レンチに対応されたものであり、レンチの形状に応じて適宜設計変更され得るものである。
また、連結部１２の中央部には、縮径部１７が形成されている。この縮径部１７は、連結部１２の外径が縮径されて円柱状に形成されている。
【００１８】
本実施形態に係るソケット１０は、次のようにして使用される。
まず、作業者は、アンカーボルトの木ねじが形成された側を柱等に予め仮止め（所定量ねじ込む）する。そして、作業者は、アンカーボルトのメートルねじが形成された側をソケット１０の先端面１８側に挿入する。このとき、アンカーボルトの外径がねじ孔１３の内径に対応している場合は、作業者はソケット１０を回転させてアンカーボルトにソケット１０を螺合させる。ねじ孔１３の深さは上記寸法ｄ１に設定されているから、ソケット１０がアンカーボルトにねじ込まれていくと、アンカーボルトは、ねじ孔１３の底部に当接する。
この状態で作業者は、ソケット１０の連結部１２にレンチを連結し、当該レンチを用いてソケットを回転させる。これにより、アンカーボルトが回転され、アンカーボルトの木ねじが形成された側が柱等にねじ込まれ、当該アンカーボルトは、柱等に設置される。
【００１９】
また、アンカーボルトの外径がねじ孔１４の内径に対応している場合は、作業者は、当該アンカーボルトをねじ孔１３を貫通させてねじ孔１４に螺合させる。そして、作業者は、ソケット１０を回転させてアンカーボルトにソケット１０を螺合させる。ねじ孔１４の深さは上記寸法ｄ２に設定されているから、ソケット１０がアンカーボルトにねじ込まれていくと、アンカーボルトは、ねじ孔１４の底部に当接する。
この状態で作業者は、ソケット１０の連結部１２にレンチを連結し、当該レンチを用いてソケットを回転させる。これにより、アンカーボルトが回転され、アンカーボルトの木ねじが形成された側が柱等にねじ込まれ、当該アンカーボルトは、柱等に設置される。
【００２０】
このように本実施形態では、ソケット１０には複数のねじ孔１３，１４が設けられており、これらはそれぞれ内径が異なっているから、ソケット１０は、外径の異なる複数のアンカーボルトと螺合することができる。したがって、作業者は、このソケット１０を用いて複数のアンカーボルトを設置することができ、その結果、作業者は、一つのソケット１０によって複数のアンカーボルトについてその設置作業を行うことができ、かかる作業を行うために多くの工具を準備する必要がない。
【００２１】
特に、本実施形態では、ソケット１０が大小二つのねじ孔１３，１４を有するから、作業者は、外径の異なる２種類のアンカーボルトについてその設置作業を行うことができる。したがって、埋込ボルトの装着作業のために、従来準備しておく必要のあったソケットの数が半減する。
【００２２】
しかも、２つのねじ孔１３，１４は、前述のように本体１１の軸方向に沿って直列に配置されているから、アンカーボルトをソケット１０に螺合させる作業がきわめて簡単である。なぜなら、アンカーボルトの外径にかかわらず、作業者は、ソケットの１０の先端面１８から当該アンカーボルトを挿入するだけで、両者を螺合させることができるからである。
【００２３】
本実施形態では、２つのねじ孔１３，１４が設けられているが、ねじ孔はさらに多数設けられていてもよい。その場合、各ねじ孔は本体１１の軸方向に沿って直列に配置されているのが好ましい。
また、本実施形態では、ねじ孔１３，１４は、本体１１の軸方向に沿って直列に配置されているが、これに限定されるものではなく、並列に配置されていてもよい。
【００２４】
＜第２の実施形態＞
次に、本発明の第２の実施形態について説明される。
図３は、本発明の第２の実施形態に係るソケット２０の断面図である。
本実施形態に係るソケット２０が上記第１の実施形態に係るソケット１０と異なるところは、ねじ孔１３とねじ孔１４との間に、収容室２１（先端収容室）が形成されている点、及びねじ孔１４の底部に当接部材２２が配設されている点である。なお、ソケット２０のその他の構成については、上記第１の実施形態に係るソケット１０と同様である。
【００２５】
上記収容室２１は、上記ねじ孔１３とねじ孔１４との間に区画形成された環状の空間により構成されている。この収容室２１の内径Ｄｏは、ねじ孔１３の内径よりも大きく設定されている。具体的に本実施形態では、この内径Ｄｏは、１１．０ｍｍに設定されている。また、この収容室２１の深さは、適宜設定され得るものであるが、本実施形態では、２．５ｍｍに設定されている。
また、上記当接部材２２は、円柱状に形成されており、ねじ孔１４にぴったりと嵌め込まれている。当接部材２２の材質は特に限定されるものではないが、例えばゴム等の弾性部材により構成されるのが好ましい。
【００２６】
本実施形態では、上記収容室２１が形成されているから、アンカーボルトがソケット２０のねじ孔１３に螺合したときに、当該アンカーボルトの先端部は、収容室２１に収容される。これにより、当該アンカーボルトの先端部は、ねじ孔１３及びねじ孔１４の周面と接触しない。したがって、ソケット２０によりアンカーボルトが締め込まれた場合であっても、アンカーボルトの先端部に形成されたねじ部は、損傷を受けることがない。
また、ねじ孔１４の底部に上記当接部材２２が配設されているから、アンカーボルトがソケット２０のねじ孔１４に螺合したときに、当該アンカーボルトの先端部は、当接部材２２に当接する。したがって、ソケット２０によりアンカーボルトが締め込まれた場合であっても、アンカーボルトの先端部は、当接部材２２に押圧され、当接部材２２が変形するので、アンカーボルトに形成されたねじ部は、損傷を受けることがない。
【００２７】
なお、上記各実施形態では、木造建築用のアンカーボルトに使用されるソケット１０，２０について説明されているが、本発明はこの種類のソケットにのみ適用されるものではなく、一般的な埋込ボルトに使用されるソケットにも適用されることは勿論である。ただし、特殊な埋込ボルトに使用されるソケットの場合は、ソケットに設けられるねじ孔等は、当該埋込ボルト適合された形状等に適宜設計変更される。
【００２８】
【発明の効果】
以上のように本発明によれば、単一の埋込ボルト用ソケットが複数の外径の埋込ボルトと螺合することができるので、建設現場等において、作業者は一つの埋込ボルト用ソケットによって複数の埋込ボルトの設置作業を行うことができる。その結果、作業者は、かかる作業を行うために多くの工具を準備する必要がない。
【図面の簡単な説明】
【図１】図１は、本発明の第１の実施形態に係るソケットの斜視図である。り、図２は断面図である。
【図２】図２は、本発明の第１の実施形態に係るソケットの断面図である。
【図３】図３は、本発明の第２の実施形態に係るソケットの断面図である。
【符号の説明】
１０・・・ソケット
１１・・・本体
１２・・・連結部
１３・・・ねじ孔
１４・・・ねじ孔
１８・・・先端面
２０・・・ソケット
２１・・・収容室
２２・・・当接部材
【図１】
2004141992.tif 000003
【図２】
2004141992.tif 000004
【図３】
2004141992.tif 000005